(57)【特許請求の範囲】
【請求項１】
ネック部（４）を有するハウジング（１）と、軸線方向に可動としてハウジング（１）内に支持される駆動スピンドル（５）と、駆動スピンドル（５）に装着端（７）で着脱可能に結合されるビットホルダ（６）と、ビットホルダ（６）および駆動スピンドル（５）の一部を包囲するよう前記ネック部（４）に結合された、軸線方向に可動の深さリミッタ（９）と、半径方向で深さリミッタ（９）およびビットホルダ（６）の間に配置されたスリーブ状の防塵部材（１３）とを具え、深さリミッタ（９）が、防塵部材（１３）の領域内で側方に貫通する少なくとも一つの開口部（１２）を有するスクリュードライバ装置において、
前記防塵部材（１３）を前記ビットホルダ（６）に着脱可能に結合し、前記防塵部材（１３）に、その外面（１４）側で、少なくとも一つの環状プロファイル部（１５）を設け、該環状プロファイル部（１５）を、左勝手のねじとして形成したことを特徴とするスクリュードライバ装置。
【請求項２】
請求項１記載の装置において、前記防塵部材（１３）を、前記ビットホルダ（６）の装着端（７）に着脱可能に結合したことを特徴とするスクリュードライバ装置。
【請求項３】
請求項１又は２記載の装置において、前記環状プロファイル部（１５）が設けられた防塵部材（１３）の外面（１４）に、その遊端で半径方向に延在するフランジ（１６）を設けたことを特徴とするスクリュードライバ装置。
【請求項４】
請求項１〜３の何れか一項に記載の装置において、前記防塵部材（１３）をプラスチック製としたことを特徴とするスクリュードライバ装置。
【請求項５】
請求項１〜４の何れか一項に記載の装置において、前記深さリミッタ（９）を、前記ハウジングのネック部（４）に対して、スリーブ状の結合部材（１９）を介して結合したことを特徴とするスクリュードライバ装置。
【請求項６】
請求項５記載の装置において、前記深さリミッタ（９）を、該深さリミッタ（９）および前記結合部材（１９）の間のねじ結合部（２２）により軸線方向に位置決め可能としたことを特徴とするスクリュードライバ装置。
【請求項７】
請求項５又は６記載の装置において、前記スリーブ状の結合部材（１９）に、回転方向に対して直角に延在する貫通孔（２０）を設け、該貫通孔（２０）を前記深さリミッタ（９）における前記開口部（１２）に連通させたことを特徴とするスクリュードライバ装置。
【発明の詳細な説明】
【０００１】
【技術分野】
本発明は、請求項１の前段に記載した形式のスクリュードライバ装置に関するものである。
【０００２】
【従来技術】
市販されているスクリュードライバ装置用のビットホルダは、いずれもスリムな構造形態を有している。ビットホルダおよび駆動スピンドル間の係止領域やスクリュードライバ装置の内部に粉塵等の異物が侵入するのを防止するため、米国特許第5,568,849号明細書（特開平7-214476号公報）には、防塵部材を、ねじ込み方向で係止領域の前方に、また、半径方向では深さゲージとビットホルダとの間に配置し、防塵部材の領域に配置した深さリミッタに、側方に向けて貫通する複数の横孔を互いに円周方向に離間させて配置した構成が記載されている。この場合、深さリミッタ内に侵入した粉塵は深さリミッタから横孔を経て外部に排出される。深さリミッタに対して着脱可能に結合された防塵部材は、防塵部材に対するビットホルダの回転により磨耗する。したがって、ビットホルダと駆動スピンドルとの間に粉塵が到達するのを確実に防止するには、防塵部材は頻繁に交換する必要がある。そして、防塵部材を交換する場合には、作業現場に常備されていない特別な引き抜き工具が必要とされる。
【０００３】
【発明の課題】
したがって、本発明の解決すべき課題は、防塵部材の磨耗を大幅に抑制することができ、特別な引き抜き工具を要せずに容易かつ迅速に交換可能であり、ビットホルダと駆動スピンドルとの間に粉塵が到達するのを確実に防止することのできるスクリュードライバ装置を提案することである。
【０００４】
【課題の解決手段】
上述した課題は、独立請求項に記載された本発明の特徴により解決することができる。また、本発明の有利な実施形態は、従属請求項に記載したとおりである。
【０００５】
本発明によるスクリュードライバ装置において防塵部材とビットホルダとを相互に結合する利点は、防塵部材をビットホルダと同時にスクリュードライバ装置から取り外すことができ、そのためには、例えば、ばね負荷された係止素子により駆動スピンドルに対して軸線方向に位置決めされるビットホルダを、その係止素子を係止解除位置まで変位させる外力を作用させて駆動スピンドルから軸線方向に引き出す。防塵部材をビットホルダから取り外すためには特別な工具を使用する必要がない。例えば、防塵部材を基材の縁部に係止してビットホルダを基材から引き離すだけで良い。本発明に係る防塵部材の配置の更に他の利点は、万が一にも磨耗が生じた場合に防塵部材の外面を、例えば光学的に検査できることである。
【０００６】
防塵部材と共にビットホルダの半径方向寸法を減少させるため、防塵部材は、ビットホルダの装着端に着脱可能に結合するのが有利である。本発明において、例えば、防塵部材を二個の円筒部分から構成し、受け領域に隣接する第１の円筒部分を受け領域と同一の外径とする。また、より大きな外径を有する第２の円筒部分は、ねじ込み方向とは逆方向で第１の円筒部分に接続する。
【０００７】
防塵部材における第２の円筒部分の外面は、深さリミッタの内壁との間で狭い環状空隙を形成するように配置する。これにより、防塵部材と深さリミッタの内壁との間に摩擦が生じるのを防止することが可能である。したがって、防塵部材の磨耗は、実際には全く生じない。粉塵が環状空隙を経てビットホルダと駆動スピンドルとの間の結合領域に到達するのを防止するため、本発明では、防塵部材に、その外面側で少なくとも一つの環状プロファイル部が設けられている。このプロファイル部には、所定量の粉塵が集積するが、その粉塵はビットホルダを防塵部材から離脱させる際に排出されるものである。
【０００８】
上述した環状プロファイル部は、本発明では左勝手のねじとして形成されている。その結果、右回りに回動する駆動スピンドルが上記のねじと共に搬送チャネルを形成し、この搬送チャネルを経て環状空隙内の粉塵をねじ込み方向に搬送した後、側方の開口部を経て外部に排出することが可能である。
【０００９】
ねじ込み方向とは反対側で防塵部材における第２の円筒部分にフランジ状の拡大部を設け、この拡大部を、環状プロファイル部を設けた第２の円筒部分の外面と、深さリミッタの内壁とを超えて、半径方向外方に突出させるのが好適である。このような拡大部は、二通りの機能を発揮する。一方では、ハウジング内に配置された軸受と、部分的に防塵部材の拡大受け孔内に突出する駆動スピンドルの全体をシールすることである。また、他方では、拡大部が遠心ディスクとして機能し、スクリュードライバ装置の休止状態で、またはスクリュードライバ装置に及ぼされる振動により拡大部に到達した粉塵を、スクリュードライバ装置の作動時に半径方向外方に向けて、例えば深さリミッタの内壁に向けて加速する。深さリミッタの内壁に衝突した粉塵は、防塵部材外面のねじに向けて押し戻され、更に、側方の開口部に向けてねじ込み方向に搬送される。
【００１０】
軽量化のため、防塵部材はプラスチック製とするのが有利である。
【００１１】
ビットホルダと駆動スピンドルとの結合領域を更に有効にシールするため、深さゲージは、ハウジングのネック部に対して、スリーブ状の結合部材を介して結合するのが好適である。この結合部材はネック部の全体と、深さリミッタの一部にかけて軸線方向に延在する。ネック部に対する結合部材の軸線方向における位置決めのため、例えば、ボール状の係止素子を結合部材の横孔内に配置することができる。この係止素子は、Ｏ−リングよりなる保持手段をネック部の環状凹所内に配置して押圧保持することが可能である。この場合、Ｏ−リング自体はスリーブ状の結合部材の環状溝内に係合させて配置する。
【００１２】
ハウジングに対して深さリミッタを容易かつ迅速に位置決め可能とするため、深さリミッタと結合部材との間にねじ結合部を配置するのが好適である。この場合、例えば深さリミッタに外ねじを、結合部材には対応する内ねじを設ける。
【００１３】
環状空隙内に侵入した粉塵を防塵部材の外面と深さリミッタとの間で良好に排出可能とするため、スリーブ状の結合部材に、回転方向に対して直角に延在する貫通孔を設け、この貫通孔を深さゲージにおける開口部に連通させるのが好適である。
【００１４】
【実施の形態】
以下、本発明を図示の好適な実施形態について更に詳述する。
【００１５】
図1に示すスクリュードライバ装置は、ハウジング１の側方からグリップ２が突出し、グリップ２内に操作スイッチ３が配置された構成とされている。ねじ込み方向で、ハウジング１には所定の間隔をおいて互いに離間する３本の環状溝を有するスリーブ状の結合部材１９が接続しており、これらの環状溝にはそれぞれＯ−リング２５，２６，２９が嵌合している。Ｏ−リング２５，２６，２９の機能については、後述する。結合部材１９からは、深さリミッタ９がねじ込み方向に突出して配置されている。
【００１６】
図２に示すように、ねじ込み方向側で、ハウジング１は、外径が前方に向けて段階的に減少するネック部４を有している。ネック部４における段付の外面形状は上述したスリーブ状の結合部材１９に適合するものであり、その結合部材１９の内面形状は少なくとも部分的にネック部４の外面形状に対応している。結合部材１９をネック部４上で軸線方向に位置決めするため、結合部材１９の横孔内にボール上の係止素子２３を配置し、この係止素子２３を第１の保持手段としてのＯ−リング２５によりネック部４の環状凹所内に押圧状態で保持する。この環状凹所は、係止部材１９の最後側に設けられた環状溝に隣接するよう、ハウジング１に設けられたものである。
【００１７】
ネック部４からねじ込み方向に向けて突出する駆動スピンドル５を、ハウジング１内に回転可能に、しかも軸線方向に変位可能に配置する。そのためにハウジング１内に軸受を設け、この軸受のねじ込み方向側にシールリングを隣接させて配置する。ネック部４から突出する駆動スピンドル５の部分には、ねじ込み方向に向けて開放した六角断面形状の有底孔と、環状の押圧ばね２８とが設けられている。押圧ばね２８は、駆動スピンドル５に設けられた環状凹所内に配置されており、係止素子としてのピン２７と協働するものである。ピン２７は駆動スピンドル５の横孔を貫通させ、有底孔内に突出させたビットホルダ６の装着端７の環状溝と係合させる。図３に示すように、ビットホルダ６の装着端７は、有底孔に適合する六角断面形状とされている。装着端７には、ねじ込み方向側で受け領域８を隣接させる。受け領域８にも、ねじ込み方向に向けて開放した有底孔１８が設けられている。有底孔１８は非円形断面形状とされており、ねじビット等の工具（図示せず）を係合させるものである。受け領域８の最大径は、ビットホルダ６の最大径部分を構成する。装着端７と受け領域８との間の移行部は、肩部とされている。
【００１８】
装着端７には、スリーブ状の防塵部材１３が着脱可能に結合される。防塵部材１３の中心部における貫通孔は、断面形状および内空寸法の異なる二部分から構成される。すなわち、ねじ込み方向側に位置する第１の貫通孔部分は、装着端と同一の断面形状とされている。ねじ込み方向と反対側に位置する第２の貫通孔部分は、第１の貫通孔部分に接続するものであるが、第１の貫通孔部分の内空寸法よりも内径の大きな円筒断面形状とされている。
【００１９】
防塵部材１３は、ねじ込み方向側でビットホルダ６における装着端７および受け領域８の間の肩部に衝接しており、ねじ込み方向側に位置する第１の領域の外径が、ビットホルダ６における受け領域８の外径に対応している。ねじ込み方向と反対側で上記第１の領域に接続する第２の領域１７は、より大きな外径とされている。この第２の領域１７の外面１４には、左勝手の台形ねじよりなるプロファイルが設けられている。ねじ込み方向と反対側に位置する防塵部材１３の端部領域には、外面１４から半径方向外向きに突出するフランジ形状の拡大部１６が設けられている。この拡大部１６は、ネック部４内に配置されている軸受箇所を付加的にシールする機能を発揮する。このような構成は、スリーブ形状の結合部材１９と深さリミッタ９とを装着しない状態でスクリュードライバ装置を作動させ、ねじ（図示せず）を駆動して機材中にねじ込む場合に特に有利である。
【００２０】
深さリミッタ９は中心部に貫通孔を有しており、その内径はねじ込み方向とは逆向きに段階的に拡大する。この拡大領域には、側方に向けて貫通する複数個の開口１２が円周方向に離間して配置され、これらの開口部１２はスリーブ形状の結合部材１９における貫通孔２０に連通している。ビットホルダ６における防塵部材１３は、上記の拡大領域内に突出する配置とされており、その際に防塵部材１３の外面１４と拡大領域の内壁１１との間に狭い環状空隙を残存させる。
【００２１】
深さリミッタ９とスリーブ形状の結合部材１９は、ねじ結合部２２で相互に結合されており、そのために例えば深さリミッタ９に外ねじ１０が、結合部材１９には内ねじ２１が設けられている。結合部材１９に対する深さリミッタ９の自動的な回動を阻止するため、ボール状の摩擦部材２４を第２の保持手段２６としてのＯ−リングにより深さリミッタ９の外面に押圧した状態で保持する。摩擦部材２４は結合部材１９の横孔内に保持し、この横孔は、保持手段２６が係合する結合部材１９の環状溝に連通する。
【図面の簡単な説明】
【図１】  本発明によるスクリュードライバ装置の一実施形態を示す側面図である。
【図２】  図１の装置の前端部を拡大して示す断面図である。
【図３】  図１の装置に装着するビットホルダを一部破断して示す側面図である。
【符号の説明】
１  ハウジング
４  ネック部
５  駆動スピンドル
６  ビットホルダ
７  装着端
９  深さゲージ
１２  開口部
１３  防塵部材
１４  外面
１５  環状プロファイル
１６  フランジ
１９  結合部材
２０  貫通孔
２２  ネジ結合部
【図１】
0004750315.tif 000002
【図２】
0004750315.tif 000003
【図３】
0004750315.tif 000004